(57)【要約】【課題】  それぞれが学習機能を備えた複数の異なる電子機器により、同一ユーザを取り巻く環境をそのユーザの嗜好に合致した環境にする。【解決手段】  携帯電話端末１，テレビジョン受像機２，オーディオ装置３，ビデオディスク装置４，パーソナルコンピュータ５等の各電子機器は、それぞれ自機を同一ユーザが使用等した時の行動履歴に関連する情報から学習パラメータを抽出可能となされている。また、それら電子機器は、ユーザの行動履歴から第一の学習パラメータを抽出し、その第一の学習パラメータを他の電子機器へ送信する。そして、それら各電子機器は、それぞれ自らが抽出した第二の学習パラメータと他の電子機器から送られてきた第一の学習パラメータとに基づいて、各々自機の動作を制御する。【選択図】  図１
2010250839.tif 000002
【特許請求の範囲】
【請求項１】
自機とは異なる他種電子機器に対するユーザの第一の行動の履歴に関連する情報から、当該他種電子機器が抽出して送信してきた第一の学習パラメータを受信する学習パラメータ受信部と、
上記ユーザが自機に対して行った上記第一の行動とは異なる第二の行動の履歴に関連した情報を蓄積する行動履歴関連情報蓄積部と、
上記行動履歴関連情報蓄積部に蓄積された上記第二の行動の履歴に関連する情報から第二の学習パラメータを抽出する学習パラメータ抽出部と、
上記学習パラメータを保持する学習パラメータ保持部と、
上記学習パラメータ保持部が保持している上記第一の学習パラメータおよび第二の学習パラメータに基づいて、自機の動作を制御する動作制御部と、
を有する電子機器。
【請求項２】
上記動作制御部は、上記学習パラメータ保持部が保持している上記第一の学習パラメータおよび第二の学習パラメータに基づいて、上記第一の行動または第二の行動に対する自機の動作を制御する請求項１記載の電子機器。
【請求項３】
上記動作制御部は、上記学習パラメータ保持部が保持している上記第一の学習パラメータおよび第二の学習パラメータに基づいて、上記第一の行動および第二の行動とは異なる第三の行動に対する自機の動作を制御する請求項１記載の電子機器。
【請求項４】
上記学習パラメータ抽出部は、
複数のキーワード参照データを保持する参照データ保持部と、
上記参照データ保持部が保持している複数のキーワード参照データの中から、上記ユーザの第一の行動の履歴に関連する情報に対応したキーワードを検出するキーワード検出部と、
当該キーワード検出部が各キーワードを検出する毎にポイント値をカウントアップするカウント部とを有し、
上記キーワード検出部が検出した各キーワードとそれに対応して上記カウント部がカウントしたポイント値とからなる情報を、上記学習パラメータとして抽出する請求項１乃至請求項３のうち何れか一項に記載の電子機器。
【請求項５】
上記学習パラメータ抽出部は、
上記カウント部がカウントしたポイント値を、それぞれ時間長が異なる複数の期間毎に集計する集計部を備え、
当該集計部が各期間毎に集計したポイント値とそれに対応したキーワードとからなる情報を、上記学習パラメータとして抽出する請求項４記載の電子機器。
【請求項６】
上記学習パラメータ受信部が上記受信した学習パラメータも上記キーワードとポイント値とからなる情報であり、
上記動作制御部は、上記学習パラメータ保持部が保持している学習パラメータの上記キーワードに基づいて、上記自機の動作を制御する際の動作を認識し、上記学習パラメータのポイント値に基づいて、上記自機の動作を制御する優先度を認識する請求項４記載の電子機器。
【請求項７】
上記学習パラメータ保持部が保持している学習パラメータと、上記学習パラメータ受信部が受信した上記他種電子機器からの学習パラメータとが同一の学習パラメータであるとき、それら両パラメータの新旧を比較し、上記学習パラメータ受信部が受信した学習パラメータが上記学習パラメータ保持部が保持している学習パラメータよりも新しいときには、上記学習パラメータ受信部が受信した学習パラメータにより、上記学習パラメータ保持部が保持している学習パラメータを更新する学習パラメータ更新部を有する請求項１乃至請求項３のうち何れか一項に記載の電子装置。
【請求項８】
それぞれ異なる種類の第一の電子機器と第二の電子機器を有してなり、
上記第一の電子機器は、ユーザが自機に対して行った第一の行動の履歴に関連した情報を蓄積する行動履歴関連情報蓄積部と、上記行動履歴関連情報蓄積部に蓄積された上記第一の行動の履歴に関連する情報から第一の学習パラメータを抽出する学習パラメータ抽出部と、上記学習パラメータ抽出部が抽出した第一の学習パラメータを第二の電子機器へ送信する学習パラメータ送信部とを備え、
上記第二の電子機器は、上記第一の電子機器から送信されてきた第一の学習パラメータを受信する学習パラメータ受信部と、上記ユーザが自機に対して行った上記第一の行動とは異なる第二の行動の履歴に関連した情報を蓄積する行動履歴関連情報蓄積部と、上記行動履歴関連情報蓄積部に蓄積された上記第二の行動の履歴に関連する情報から第二の学習パラメータを抽出する学習パラメータ抽出部と、上記学習パラメータを保持する学習パラメータ保持部と、上記学習パラメータ保持部が保持している上記第一の学習パラメータおよび第二の学習パラメータに基づいて自機の動作を制御する動作制御部とを備えてなるシステム。
【請求項９】
自機とは異なる他種電子機器に対するユーザの第一の行動の履歴に関連する情報から、当該他種電子機器が抽出して送信してきた第一の学習パラメータを、学習パラメータ受信部が受信するステップと、
上記ユーザが自機に対して行った上記第一の行動とは異なる第二の行動の履歴に関連した情報を、行動履歴関連情報蓄積部が蓄積するステップと、
上記行動履歴関連情報蓄積部に蓄積された上記第二の行動の履歴に関連する情報から、学習パラメータ抽出部が第二の学習パラメータを抽出するステップと、
上記学習パラメータを、学習パラメータ保持部が保持するステップと、
上記学習パラメータ保持部が保持している上記第一の学習パラメータおよび第二の学習パラメータに基づいて、動作制御部が、自機の動作を制御するステップと、
を有する電子機器制御方法。
【発明の詳細な説明】
【技術分野】
【０００１】
本発明は、学習機能を有する電子機器、複数の電子機器からなるシステム、および電子機器制御方法に関する。
【背景技術】
【０００２】
最近は、ユーザの嗜好などをその操作履歴から読み取って、それに応じた動作をする電子機器がある。この代表例としては、ユーザが過去に録画したテレビジョン番組の履歴を元に、そのユーザの好みのテレビジョン番組を学習し、その学習結果に基づいて自動的にテレビジョン番組の録画を行う録画装置などがある。今後は、このような学習機能を備えた電子機器が益々増えると考えられている。
【０００３】
一方、特開２００３−４３９０７の公開特許公報（特許文献１）には、情報処理装置と携帯情報端末と管理サーバとからなるシステムにおいて、情報処理装置と携帯情報端末が各々学習コンテンツとその学習結果の情報を管理サーバに記憶させ、その管理サーバから情報処理装置と携帯情報端末へそれぞれ学習コンテンツと学習結果の情報を転送し、情報処理装置と携帯情報端末が相互に学習コンテンツと学習結果の情報を取得し合って学習を継続可能としたシステムが開示されている。なお、この公報記載のシステムにおける学習は、上述の電子機器の動作に関する学習ではなく、ユーザが学習（つまり勉強）をする際の学習である。
【先行技術文献】
【特許文献】
【０００４】
【特許文献１】特開２００３−４３９０７号公報（図１）
【発明の概要】
【発明が解決しようとする課題】
【０００５】
ところで、上述した従来の学習機能を備えた各電子機器は、それぞれがユーザの好み応じた多種多様のデータを別個独立に収集して学習を行っている。すなわち、各電子機器はそれぞれが異なるデータを収集し、それぞれが個々に収集したデータを元に学習を行っているため、それら学習データに基づいた各電子機器の動作も、それぞれが独立した全く関連のない動作になっている。すなわち例えば、それら学習機能を備えた複数種類の電子機器が家庭内に存在するような場合、それら各電子機器が各々の学習データに基づいて勝手に動作することになるため、それら各電子機器が動作した際の環境は、ユーザが好む環境になるとは必ずしも言い難い。また、各電子機器は、データ収集能力やデータ更新頻度、さらには学習能力にも差があることが多く、そのため各電子機器間で動作にギャップが生まれ、この場合もユーザからみて違和感があり、ユーザの嗜好に合った環境が得られるとは言い難い。
【０００６】
一方、特開２０００３−４３９０７の公開特許公報に記載のシステムの場合、情報処理装置と携帯情報端末は共に同種且つ最新の学習コンテンツと学習結果の情報を共有することになるため、ユーザから見て、それら情報処理装置と携帯情報端末の動作と能力には差が無くなる。しかしながら、このシステムは、ユーザが学習を行うための情報を共有することで、情報処理装置と携帯情報端末が共に同じ学習コンテンツと学習結果をユーザに提供するためのシステムであり、ユーザからみて情報処理装置と携帯情報端末は基本的同じ動作を行う同種の装置となっているため、これら情報処理装置と携帯情報端末によりユーザに提供される環境は単調で変化に乏しいものとなる。
【０００７】
本発明は、上述の課題に鑑みてなされたものであり、それぞれが学習機能を備えた複数の異なる電子機器により、ユーザを取り巻く環境を多様且つユーザの嗜好に合致した環境にすることを可能とする、電子機器、システム、および電子機器制御方法の提供を目的とする。
【課題を解決するための手段】
【０００８】
本発明の電子機器は、上述した課題を解決するための構成として、自機とは異なる他種電子機器に対するユーザの第一の行動の履歴に関連する情報から当該他種電子機器が抽出して送信してきた第一の学習パラメータを受信する学習パラメータ受信部と、そのユーザが自機に対して行った第一の行動とは異なる第二の行動の履歴に関連した情報を蓄積する行動履歴関連情報蓄積部と、行動履歴関連情報蓄積部に蓄積された第二の行動の履歴に関連する情報から第二の学習パラメータを抽出する学習パラメータ抽出部と、学習パラメータを保持する学習パラメータ保持部と、学習パラメータ保持部が保持している第一の学習パラメータおよび第二の学習パラメータに基づいて自機の動作を制御する動作制御部とを有する。
【０００９】
ここで、本発明の電子機器において、動作制御部は、学習パラメータ保持部が保持している第一の学習パラメータおよび第二の学習パラメータに基づいて、第一の行動または第二の行動に対する自機の動作を制御可能となされている。また、動作制御部は、学習パラメータ保持部が保持している第一の学習パラメータおよび第二の学習パラメータに基づいて、第一の行動および第二の行動とは異なる第三の行動に対する自機の動作を制御可能となされている。
【００１０】
本発明のシステムは、それぞれ異なる種類の第一の電子機器と第二の電子機器を有し、それら電子機器が同一ユーザにより使用される。そして、上述した課題を解決するための構成として、第一の電子機器は、ユーザが自機に対して行った第一の行動の履歴に関連した情報を蓄積する行動履歴関連情報蓄積部と、行動履歴関連情報蓄積部に蓄積された第一の行動の履歴に関連する情報から第一の学習パラメータを抽出する学習パラメータ抽出部と、学習パラメータ抽出部が抽出した第一の学習パラメータを第二の電子機器へ送信する学習パラメータ送信部とを備える。また、上述した課題を解決するための構成として、第二の電子機器は、第一の電子機器から送信されてきた第一の学習パラメータを受信する学習パラメータ受信部と、ユーザが自機に対して行った第一の行動とは異なる第二の行動の履歴に関連した情報を蓄積する行動履歴関連情報蓄積部と、行動履歴関連情報蓄積部に蓄積された第二の行動の履歴に関連する情報から第二の学習パラメータを抽出する学習パラメータ抽出部と、学習パラメータを保持する学習パラメータ保持部と、学習パラメータ保持部が保持している第一の学習パラメータおよび第二の学習パラメータに基づいて、自機の動作を制御する動作制御部とを備えてなる。
【００１１】
本発明の電子機器制御方法は、上述した課題を解決するためのステップとして、自機とは異なる他種電子機器に対するユーザの第一の行動の履歴に関連する情報から、当該他種電子機器が抽出して送信してきた第一の学習パラメータを学習パラメータ受信部が受信するステップと、そのユーザが自機に対して行った上記第一の行動とは異なる第二の行動の履歴に関連した情報を行動履歴関連情報蓄積部が蓄積するステップと、行動履歴関連情報蓄積部に蓄積された第二の行動の履歴に関連する情報から学習パラメータ抽出部が第二の学習パラメータを抽出するステップと、学習パラメータを学習パラメータ保持部が保持するステップと、学習パラメータ保持部が保持している第一の学習パラメータおよび第二の学習パラメータに基づいて動作制御部が自機の動作を制御するステップとを有する。
【００１２】
すなわち本発明によれば、各電子機器にて同一ユーザの行動履歴に関連した情報から学習パラメータを抽出し、その学習パラメータを他の電子機器へ送信することで、それら各電子機器は学習パラメータを共有可能となっている。したがって、各電子機器が、同一ユーザの嗜好に応じて提供する動作にバラツキは無くなる。また、本発明によれば、それら各電子機器は、各々自機で抽出した学習パラメータと他電子機器から受け取った学習パラメータを用いて自機の動作を制御する。言い換えると、本発明によれば、各電子機器は各々学習パラメータに基づいてそれぞれ異なる特有の動作を行うようになされており、それら各電子機器が、それぞれ自機にて抽出した学習パラメータおよび他電子機から受信した学習パラメータに基づいて動作するため、ユーザに対して多様な環境を提供できる。また、本発明によれば、各電子機器は、同じ学習パラメータであっても、その学習パラメータに基づいて自己を制御する際の制御動作の種類と内容が異なり、同じ制御動作とはならない。さらに、学習パラメータは、同一ユーザの行動の履歴に関連した情報から抽出されるものであるため、それら学習パラメータは、そのユーザの嗜好に合ったものである。したがって、本発明によれば、ユーザに対して多様な環境を提供でき、また、そのユーザの嗜好に合った環境を提供できることになる。
【発明の効果】
【００１３】
本発明によれば、各々電子機器は同一ユーザの行動履歴に関連した情報から各々学習パラメータを抽出し、それら学習パラメータをそれぞれ他の電子機器で送受信し、それら各電子機器が、各々自機で抽出した学習パラメータと他電子機器から受け取った学習パラメータを用いて自機の動作を制御することにより、そのユーザを取り巻く環境を多様且つユーザの嗜好に合致した環境にすることができる。
【図面の簡単な説明】
【００１４】
【図１】本発明を適用した一実施形態となるシステムの概略構成を示すブロック図である。
【図２】学習キーワードとポイント値のテーブルからなる学習パラメータの具体例を示す図である。
【図３】本発明実施形態の携帯電話端末の内部概略構成を示すブロック図である。
【図４】学習パラメータの収集や送受信に関する処理を実行する際の、携帯電話端末の制御部の主要部構成を示すブロック図である。
【図５】本発明実施形態の携帯電話端末以外の他の電子機器の内部概略構成を示すブロック図である。
【図６】学習パラメータの収集や送受信に関する処理を実行する際の、携帯電話端末以外の他の電子機器の制御部の主要部構成を示すブロック図である。
【図７】学習パラメータの収集や送受信に関する処理を実行する際の、携帯電話端末の制御部の具体的な処理の流れを示すフローチャートである。
【図８】学習パラメータを利用した電子機器の具体的な処理の流れを示すフローチャートである。
【図９】サーバを介して学習パラメータを伝送する、本発明の他の一実施形態となるシステムの概略構成を示す図である。
【図１０】図９のシステムのサーバの主要部の概略構成例を示すブロック図である。
【発明を実施するための形態】
【００１５】
以下、本発明の実施形態について、図面を用いて詳細に説明する。図１は本実施形態に係るシステムの構成を示すブロック図である。
【００１６】
〔システムの構成例〕
図１において、本実施形態のシステムは、各々本発明にかかる電子機器としての携帯電話端末１、テレビジョン受像機２、オーディオ装置３、ビデオディスク装置４、パーソナルコンピュータ（ＰＣ）５等により構成される。これらの各電子機器は、相互にブルートゥース（Bluetooth：商標）や赤外線通信、ＵＷＢ（Ultra Wide Band）、無線ＬＡＮなどの近距離無線通信により情報の伝達が可能となっている。
【００１７】
携帯電話端末１は、通話や電子メールの作成，編集、スケジュールデータの編集，管理等のような通常の携帯電話端末が備える基本機能の他に、後述するＧＰＳ（Global Pointing System）や温度センサなどの種々のセンサ機能と、いわゆる電子マネーやインターネットを介した購買機能と、上記種々のセンサからの情報や購買情報、スケジュールデータ、アプリケーションプログラムの実行状態等の情報を収集し、それら収集した情報に基づいてユーザの嗜好を学習する機能等を備えている。
【００１８】
テレビジョン受像機２は、テレビジョン放送番組の受信のように通常のテレビジョン受像機が備えている機能の他に、受信したテレビジョン放送番組名やチャネルの情報、番組のジャンル、テレビジョン番組に登場する人物名、チャンネルやボリューム等をユーザが操作した操作履歴等の情報を収集し、それら収集した情報に基づいてユーザの嗜好を学習し、さらにその学習データに基づいてテレビジョン放送番組を受信したり、ボリュームを調整する等の学習機能を備えている。また、テレビジョン受像機２は、インターネット等を介して、例えばＥＰＧ（Electronic Program Guide）の番組データを取得する機能も備えているとする。
【００１９】
オーディオ装置３は、ラジオ放送番組の受信や録音，コンパクトディスク等の記録メディアからの音楽コンテンツの再生等、通常のオーディオ装置が備えている機能の他に、受信したラジオ放送番組名やチャネルの情報、番組のジャンル、記録メディアから再生した楽曲の曲名やアーチスト名の情報、ユーザの操作履歴等の情報を収集し、それら収集した情報に基づいてユーザの嗜好を学習し、さらにその学習データに基づいてラジオ放送番組を受信したり、記録メディアから音楽を再生する等の学習機能を備えている。
【００２０】
ビデオディスク装置４は、ビデオディスクの記録と再生や、例えば内蔵ハードディスクへの記録と再生、予約録画、予約内容や記録，再生の管理、再生ビデオ信号をテレビジョン受像機２へ送る機能などのような、通常のビデオディスクレコーダが備えている基本機能の他に、記録，再生を行った映像等の内容やユーザの操作履歴から、ユーザの嗜好を学習し、その学習データに応じて録画や再生等を行う学習機能を備えている。
【００２１】
パーソナルコンピュータ５は、通常のパーソナルコンピュータが備える機能の他に、実行したアプリケーションや閲覧したウェブサイト、送受信した電子メールの内容、ユーザの操作履歴等から、ユーザの嗜好を学習し、その学習データに応じて動作する学習機能を備える。
【００２２】
〔各電子機器の学習機能〕
このように、本実施形態の各電子機器は、それぞれが通常有している基本機能の他に、ユーザの嗜好を学習する機能をも備えている。すなわち、各電子機器は、例えばユーザが電子機器を操作した際の操作履歴や、各電子機器にて扱われた各種のデータなどのような、ユーザの行動履歴に関連する情報からユーザの嗜好を学習し、その学習結果を元にユーザが望むと思われる動作を自動的に行う機能を備えている。
【００２３】
ここで、学習とその学習結果に応じた電子機器の動作例としては、次のような動作が考えられる。例えば、携帯電話端末１やパーソナルコンピュータ５によりユーザが電子メールを作成する場合には、例えば、過去に送受信された電子メールやユーザのスケジュールデータ内に含まれる単語や文字列から、ユーザの嗜好を学習することで、後にユーザが電子メールの作成を行う際に、そのユーザの嗜好に応じた単語や文字列を文字変換候補としてユーザに提示するような動作が考えられる。また例えば、携帯電話端末１やパーソナルコンピュータ５を介して買い物を行うような場合には、過去にユーザが買い物を行った店舗名（ウェブ上の店舗名も含む）や購入物品名から、ユーザが好むジャンルの店舗や物品を学習し、後にユーザがそれら携帯電話端末１やパーソナルコンピュータ５により買い物を行う際に、そのユーザの嗜好に応じたジャンルの店舗や物品を、購入の候補情報としてユーザに提示するようなこと動作が考えられる。また、テレビジョン受像機２によりユーザが視聴等を行う場合には、例えば過去にユーザが視聴した番組や登場人物などから、ユーザが好むジャンルの番組等を学習することで、後にユーザがテレビジョン受像機２を使用する際に、そのユーザの嗜好に応じたジャンルの番組等を自動的に選ぶような動作が考えられる。同様に、オーディオ装置３によりユーザが音楽等を聴く場合には、例えば過去にユーザが聴いた番組やアーチスト，曲、過去にユーザが記録メディアから再生した曲やアーチスト等から、ユーザが好むジャンルの番組やアーチスト，曲等を学習することで、後にユーザがオーディオ装置３を使用する際に、そのユーザの嗜好に応じたジャンルの番組やアーチスト、曲を自動的に選ぶような動作が考えられる。また、例えば、ビデオディスク装置４によりユーザが録画や再生を行う場合には、例えば過去にユーザが録画や再生を行った番組やアーチスト，映画等から、ユーザが好むジャンルの番組やアーチスト，映画等を学習し、後にユーザがビデオディスク装置４を使用する際に、そのユーザの嗜好に応じたジャンルの番組やアーチスト，映画等を自動的に選ぶような動作が考えられる。
【００２４】
〔学習パラメータの送受信と更新機能〕
さらに、本発明実施形態のシステムにおいて、各電子機器は、上述したようなユーザの嗜好を学習する際に用いられる、上記ユーザの行動履歴に関連する情報から、後述する学習パラメータを抽出し、その学習パラメータを、他の電子機器へ上記近距離無線通信により送信したり、逆に、他の電子機器から無線送信されてきた学習パラメータを受信し、その受信した学習パラメータを用いて、必要に応じて自己の学習パラメータを更新する機能をも備えている。すなわち、本実施形態の携帯電話端末１、テレビジョン受像機２、オーディオ装置３、ビデオディスク装置４、パーソナルコンピュータ５は、それぞれが学習パラメータを他の電子機器へ上記近距離無線通信により送信したり、逆に、他の電子機器から無線送信されてきた学習パラメータを受信し、その受信した学習パラメータを用いて、必要に応じて自己の学習パラメータを更新する機能を備えている。
【００２５】
ここで、学習パラメータとは、例えば図２に示すような各種の学習キーワードと、それら学習キーワードが検出された回数を表すポイント値とが少なくとも含まれている情報である。
【００２６】
学習キーワードは、ユーザが各電子機器を操作した際の操作履歴や、各電子機器にて扱われた各種のデータから収集される情報であり、上述したように各電子機器がユーザの興味や好みなどを学習する際に用いられる情報である。具体例を挙げて説明すると、当該学習キーワードとしては、例えば、携帯電話端末１やパーソナルコンピュータ５を介してユーザが送受信した電子メールやユーザのスケジュールデータ内に含まれる単語や文字列、携帯電話端末１やパーソナルコンピュータ５を介して買い物を行った場合の店舗名（ウェブ上の店舗名も含む）や購入物品名、テレビジョン受像機２やオーディオ装置３により視聴した番組名やアーチスト名，曲名、ビデオディスク装置４にて録画や再生を行った番組名やアーチスト名，映画の題名、ユーザが例えば携帯電話端末１を持って移動した際の移動先の地名や建物名などが考えられる。すなわち言い換えると、当該学習キーワードは、各電子機器での学習に関わる動作（学習関連動作）に対応した情報であり、したがって、各電子機器は、この学習キーワードが何れの学習関連動作に対応しているのかを認識可能となっている。なお、上述の学習キーワードには、キーワード名やカテゴリ、カウントされた回数、時間などに応じて、それぞれ優先順位が付与されていても良い。当該優先順位は、ユーザにより任意に設定されても良い。また、学習キーワードは、予め決められたものだけでなく、例えば携帯電話端末１にてウェブサイトを検索した時に新たに収集されたキーワードが学習キーワードとなされても良く、その学習キーワードから学習パラメータが抽出されても良い。
【００２７】
上記ポイント値は、上述の学習の際に各電子機器がユーザの操作履歴や各種データから学習キーワードを検出した回数（カウント回数）を表している。当該ポイント値は、カウントのリセット期間に応じて、例えば長期ポイント、中期ポイント、短期ポイントに分けられる。ここで、長期ポイントとは例えば１ヶ月間でリセットされるポイント値であり、中期ポイントは例えば１週間、短期ポイントは例えば１日でそれぞれリセットされるポイントである。すなわち言い換えると、当該ポイント値は、各学習キーワードが検出された頻度及び順位に対応しており、したがって、各電子機器は、学習結果に基づく動作制御の際に、このポイント値により何れの学習キーワードを優先すべきかを認識可能となっている。なお、各電子機器は、上記長期ポイント、中期ポイント、短期ポイントの何れを優先するかをそれぞれ任意に設定可能となっている。これにより、本実施形態のシステムに多様性を持たせることができる。また、ポイント値は、学習キーワード毎に、加算値が異なっていても良い。つまり、或る学習キーワードについては１回検出される毎に数ポイントが加算され、別の学習キーワードについては複数回検出されて１ポイントが加算されるようなことも可能である。具体的に説明すると、例えば購買に関する学習キーワードのように、ユーザの嗜好が出やすいものについては１回検出される毎に５ポイントが加算されたり、また例えば、学習キーワードについてユーザからのフィードバックがあった時には例えば１０ポイントが加算されるなどが可能である。これらポイント値のリセット期間や優先度、加算値は、ユーザにより任意に設定されても良い。
【００２８】
そして、本実施形態のシステムは、上述したような学習キーワードとポイント値からなる学習パラメータを、例えば送信側の電子機器にてユーザが特定の操作を行ったとき、或いは、予め決められた所定の時間或いは周期になったとき、送信側の電子機器にてユーザが所定の送信指示を行ったときなどに伝送する。具体的には、携帯電話端末１から他の電子機器へ学習データを送信する場合を例に挙げて説明すると、上記ユーザによる特定の操作としては、例えば携帯電話端末１が充電器に接続された時や電源がオンされた時などを挙げることができ、また、上記ユーザによる所定の送信指示としては、携帯電話端末１上の特定のキー操作をユーザが行った時などを挙げることができる。
【００２９】
なお、上述の電子機器間で送受信される学習パラメータは、各電子機器がそれぞれ保持している全学習パラメータであっても、或いは、受信側の電子機器が必要とする学習パラメータのみ、或いは、前回の更新から変更された部分である差分情報であっても良い。また、全学習パラメータの送受信が行われる場合、受信側の電子機器は、自ら必要とする学習パラメータのみを取捨選択することも可能である。さらに、取捨選択は、学習キーワード毎、ポイント値毎に行われても良い。また、全学習パラメータが伝送され、受信側の電子機器にて必要な学習パラメータを取捨選択する場合、送信側の電子機器は、受信側の電子機器の宛先情報や電子機器毎のカテゴリ情報を学習パラメータに付加して送信することも可能である。
【００３０】
また、学習パラメータの更新は、他の電子機器から送られてきた学習パラメータと、自己が保持している学習パラメータの例えば時間を判定し、他の電子機器から送られてきた学習パラメータが自己の学習パラメータよりも例えば新しいときに更新するような例が考えられる。
【００３１】
以上のように、本実施形態のシステムによれば、各電子機器は各々収集した学習パラメータをそれぞれ他の電子機器へ送信し、また、各電子機器は他の電子機器から送信されてきた学習パラメータを用いて自己の学習パラメータを更新可能となっているため、つまり、各電子機器は最新の学習パラメータを相互に共有可能となっているため、各電子機器は共に最新のユーザの嗜好に基づく動作を行えることになる。したがって、本実施形態のシステムによれば、それら各電子機器トータルで、ユーザが嗜好する環境を実現できることになる。
【００３２】
すなわち、本実施形態のシステムによれば、例えば、ユーザが携帯電話端末１の電子マネー機能により例えばコンパクトディスクを購入し、その購入時に取得した店舗名やコンパクトディスクに記録された曲名やアーチスト名等のデータから得られた学習キーワードとそのポイント値が、例えばテレビジョン受像機２やオーディオ装置３、ビデオディスク装置４、パーソナルコンピュータ５等に転送されたような場合において、例えば当該学習キーワードのポイント値が高ければ、テレビジョン受像機２は、その曲やアーチスト名に基づいてテレビジョン放送番組を選んだり、オーディオ装置３は、その曲名やアーチスト名に基づく曲を再生したり、ラジオ放送番組を選ぶようなことが可能となり、また、ビデオディスク装置４は、その曲名やアーチスト名を元に番組を自動的に録画したり、ビデオディスクから映像等を再生するようなことが可能となる。同様に、パーソナルコンピュータ５は、例えばインターネットに接続した際に、それら曲名やアーチスト名に関連するサイトへアクセスするようなことや、壁紙画像を、その曲名やアーチスト名に応じて変更することなどが可能となる。
【００３３】
また例えば、ユーザが携帯電話端末１を持って或る場所へ行き、その場所の地名を学習キーワードとして収集した後に帰宅し、その学習キーワードとポイント値がテレビジョン受像機２、オーディオ装置３、ビデオディスク装置４，パーソナルコンピュータ５等へ転送されたような場合において、当該学習キーワードのポイント値が高ければ、テレビジョン受像機２やオーディオ装置３は、その地名が含まれる番組を受信して流すようなことが可能となり、ビデオディスク装置４は、その地名を元に番組を自動的に録画したり、ビデオディスクから映像等を再生するようなことが可能となる。同様に、パーソナルコンピュータ５は、例えばインターネットに接続した際に、それら地名に関連するサイトへアクセスしたり、壁紙画像を地名に応じた画像にすることなどが可能となる。
【００３４】
さらに例えば、携帯電話端末１に保存されているユーザのスケジュールに例えば「明日、アメリカ出張」のデータが記録されていた場合において、そのデータから例えば「アメリカ」の文字列が学習キーワードとして収集され、その学習キーワードとポイント値がテレビジョン受像機２、オーディオ装置３、ビデオディスク装置４、パーソナルコンピュータ５等に転送されたような場合において、当該学習キーワードのポイント値が高ければ、テレビジョン受像機２は「アメリカ」に関連するテレビジョン番組を受信して流し、オーディオ装置３は「アメリカ」に関連する曲を再生したり、ラジオ番組を受信して流すようなことが可能となり、また、ビデオディスク装置４は、その「アメリカ」に関連する番組を自動的に録画したり、ビデオディスクから映像等を再生するようなことが可能となる。同様に、パーソナルコンピュータ５は、例えばインターネットに接続した際に、その「アメリカ」に関連するサイトへアクセスしたり、壁紙画像を「アメリカ」に関連した画像にすることなどが可能となる。
【００３５】
その他にも、例えば、携帯電話端末１にて電子メールが作成されたとき、入力文字に応じてユーザに提示される変換候補が学習キーワードとして収集され、その学習キーワードがパーソナルコンピュータ５に転送されたような場合において、当該パーソナルコンピュータ５にて、文書を作成する際にその変換候補の優先順位を上げるようなことも可能となる。
【００３６】
なお、本実施形態のシステムによれば、上述した学習パラメータの共有とその学習パラメータに基づく各電子機器の動作について別の面から考察した場合、各電子機器はそれぞれ学習パラメータを共有することになるが、各電子機器は学習パラメータが同じ（特に学習キーワードが同じ）であっても、その学習パラメータに基づく動作はそれぞれ異なる特有の動作となり、それら各電子機器毎に異なる特有の動作により、トータルでユーザの嗜好に合った環境を実現できることになる。
【００３７】
〔携帯電話端末の構成〕
次に、図３には、本実施の形態の携帯電話端末１の内部構成を示す。
【００３８】
通信回路１２は、アンテナ１２ａを通じて基地局と通信を行う。また、本実施の形態の携帯電話端末１は、当該アンテナ１２ａと通信回路１２を通じてインターネット等へ接続することも可能であり、したがって、当該インターネット上の所望のサイトから、例えばユーザが居る場所の周囲にどのような店等があるかの情報や、天気予報の情報などを取得することができる。
【００３９】
表示制御部１３は、モニタ１３ａの表示制御を行う。
【００４０】
操作部１４ａは、テンキーやジョグダイヤル等の操作デバイスである。
【００４１】
操作信号発生部１４は、ユーザによる操作部１４ａの操作に応じた操作信号を生成して、制御部１１へ送る。
【００４２】
メモリ１５は、例えば記憶保持型の書き換え型メモリであり、本実施形態の学習機能や上述した学習パラメータの送受信と更新機能を実行するための学習プログラムの他、ユーザのスケジュールを管理するためのスケジュール管理プログラム、ＧＰＳの位置情報を処理するＧＰＳ処理プログラム、電子マネーやインターネット等を介した買い物情報の処理を行うプログラム、その他、後述する制御部１１が動作するためのプログラムなどを保持している。
【００４３】
データ保持部１６は、メモリ１５と同様に記憶保持型の書き換え型メモリである。当該データ保持部１５には、電話帳やアドレスデータ、ユーザのスケジュールデータ、送受信されたメールデータ、発着信履歴データ、操作部１４ａの操作履歴データ、電子マネーやインターネットを介した購買データ、各種画像データ、インターネット等を介して取得した天気予報情報等が記録される。また、データ保持部１６には、ＧＰＳによる位置データや地図データなども記録されている。さらにデータ保持部１５は、学習パラメータである学習キーワードとポイント値の情報と、学習キーワードを収集する際に用いられるキーワード参照データも格納されている。なお、データ保持部１６は、メモリ１５に含まれていても良い。
【００４４】
スピーカ駆動回路１７は、スピーカ１７ａを駆動して通話音や着信音などを出力する。
【００４５】
マイク入力信号発生部１８は、マイクロホン１８ａで集音した音声を増幅し、アナログ／ディジタル変換してディジタル音声データを生成する。
【００４６】
近距離通信回路１９は、例えばブルートゥースや、赤外線通信、ＵＷＢなどの近距離無線通信を行うための回路であり、必要に応じてアンテナ１９ａ（赤外線通信の場合は赤外線送受信部）を介して他の電子機器との通信を行う。特に本実施形態の携帯電話端末１は、当該近距離通信回路１９により、他の電子機器との間で学習パラメータを送受信可能となっている。また、この近距離通信回路１９は、いわゆるＩＣタグのデータ受信用の回路を含んでいても良い。この場合、携帯電話端末１は、例えばＩＣタグにより商品が管理されるシステムなどにおいて、当該ＩＣタグから読み出した店名、購入品名などのデータを、学習キーワードとして取得することができる。
【００４７】
センサ検知信号発生部２０は、センサ２５からの検知信号をアナログ／ディジタル変換し、そのディジタル信号をバス１０を介して制御部１１へ送る。センサ２５としては、体温，脈拍センサや、気温センサ、加速度センサなどがあり、設置スペースが許す限りこれらを複数個備えることができる。
【００４８】
カメラ駆動回路２１は、カメラ２１ａを駆動すると共に、カメラ２１ａからの撮像信号を受け取り、その撮像信号をバス１０を介して制御部１１へ送る。この時の制御部１１は、カメラ２１ａの撮像信号を画像処理する。
【００４９】
ＧＰＳ受信回路２２は、アンテナ２２ａを介してＧＰＳ衛星からの信号を受信し、そのＧＰＳ受信信号を制御部１１へ送る。したがって、この時の制御部１１は、ＧＰＳ受信信号から現在位置の緯度経度を認識し、また、データ保持部１６に保持されている地図データと上記現在位置の緯度経度とから、ユーザ（例えば携帯電話端末１）が存在している地域、国、市、町などの名前やその他の地名、さらには建物名等を学習キーワードとして検出することができる。また、携帯電話端末１は、ＧＰＳ受信信号から、ユーザがどの程度の速さでどの方向へ移動しているのか、さらにその移動速度と地図データとに基づいて、ユーザが歩いているのか、走っているのか、自転車に乗っているのか、或いは、自動車や電車、飛行機、船等に乗っているのかを検知することもできる。
【００５０】
タイマ２３は、時刻カウント値を出力し、その時刻カウント値をバス１０を介して制御部１１に送る。これにより、制御部１１は、現在の時刻や時間帯（例えば朝、昼、夜等）を検知することができる。また、制御部１１は、タイマ２３からの時刻カウント値により、学習パラメータのポイント値を長期ポイント，中期ポイント，短期ポイント等に分類することができる。さらに、制御部１１は、タイマ２３からの時刻カウント値により、過去に何らかの処理や操作が行われてから現在までの経過時間等を知ることもできる。
【００５１】
その他、図示は省略しているが、本実施形態の携帯電話端末は、例えばインターネットを介してダウンロードされた音楽データや、メモリカード等に保持された音楽データを再生する機能も備えている。
【００５２】
制御部１１は、携帯電話端末１全体を制御するプログラムに基づいて動作する例えばＣＰＵであり、当該プログラムに従ってバス１０を介して各種機能を制御する。また、制御部１１は、自己が実行しているプログラムにより、ユーザが何れのアプリケーションを当該携帯電話端末１に対して実行させているのかを認識することも可能となっている。
【００５３】
ここで、上述した学習パラメータの収集や送受信に関する処理を実行する際、制御部１１は、例えば図４に示すように、位置情報取得部１０１、スケジュール取得部１０２、通話情報取得部１０３、メール情報取得部１０４、購買履歴情報取得部１０５、操作履歴情報取得部１０６、キーワード抽出部１０８、データ転送部１１０、近距離通信接続部１１１の各機能を実行する。
【００５４】
位置情報取得部１０１は、ＧＰＳ受信回路２２により検出されてデータ保持部１６に保持された位置データを取得し、スケジュール取得部１０２は、データ保持部１６からユーザのスケジュールデータを取得する。通話情報取得部１０３は、データ保持部１６から、通話の発信又は着信した通話記録を取得するとともに、電話番号等のアドレス情報を取得し、さらに発着信の相手と発着信のあった時間とを対応付けた発着信履歴情報を取得する。また、メール情報取得部１０４は、データ保持部１６から、電子メールのテキストデータや相手先電子メールアドレス情報を取得する。購買履歴情報取得部１０５は、データ保持部１６に格納されている、過去に購入した商品等の名前や内容、購買日時、購買金額、購買店名等の購買履歴情報を取得する。操作履歴情報取得部１０６は、データ保持部１６から、ユーザが操作部１４ａを操作した際の操作履歴の情報を取得する。そしてこれら各部が取得した情報は、キーワード抽出部１０８に送られる。
【００５５】
キーワード抽出部１０８は、それら各部で取得された各情報と、データ保持部１６に格納されているキーワード参照データとを用いて、キーワード検索を行う。すなわち、キーワード抽出部１０８は、各部で取得された位置データ、スケジュールデータ、通話の発着信に関する情報、電子メールに関するデータ、購買履歴情報、操作履歴情報等を元に、キーワード参照データから学習キーワードをピックアップすると共に、それら各学習キーワード毎にピックアップされた回数をカウントし、そのカウント毎にポイント加算を行うことにより、前述の図２に示した学習キーワードとポイント値からなる学習パラメータのテーブルを生成する。そして、当該キーワード抽出部１０８にて得られた学習パラメータのテーブルのデータは、データ転送部１１０に送られる。
【００５６】
データ転送部１１０は、近距離通信回路１９にて近距離通信の接続が確立されたことを近距離通信接続検出部１１１が検出したとき、上記学習パラメータのテーブルのデータを近距離通信回路１９へ送る。これにより、学習パラメータは、近距離通信回路１９から他の電子機器へ送られることになる。
【００５７】
〔携帯電話端末以外の各電子機器の構成〕
図５には、本発明実施形態のシステムの各電子機器のうち、テレビジョン受像機２、オーディオ機器３、ビデオディスク装置４、パーソナルコンピュータ５の内部構成例を示す。なお、この図５は、テレビジョン受像機２、オーディオ装置３、ビデオディスク装置４、パーソナルコンピュータ５が共通に有する構成部のみを示している。
【００５８】
図５において、制御部３１は、電子機器全体を制御するプログラムを内蔵しており、このプログラムに従ってバス３０を介して各種機能を制御する。
【００５９】
基本機能部３４は、当該電子機器が通常備えている基本的な動作を実行するための各種構成であり、この電子機器がテレビ・オーディオ機器５である場合にはテレビジョン放送やラジオ放送を受信するチューナやその受信した番組を出力するためのモニタやスピーカ等の各構成、ビデオディスク装置４である場合にはビデオディスクを再生したり、テレビジョン放送等を録画する各構成、パーソナルコンピュータ５である場合には各種ボード，ＨＤＤ，ディスクドライブ，モニタ，キーボード，マウス等の各構成である。
【００６０】
メモリ３２は、例えば記憶保持型の書き換え型メモリであり、制御部３１が当該電子機器を動作させるのに必要なプログラムやデータ、本実施形態の学習機能や上述した学習パラメータの送受信と更新機能を実行するための学習プログラムなどを保持している。
【００６１】
データ保持部３３は、メモリ３２と同様に記憶保持型の書き換え型メモリである。当該データ保持部３３には、各電子機器にて扱う各種のデータ、学習パラメータ等が記録される。なお、データ保持部３３は、メモリ３２に含まれていても良い。
【００６２】
インターフェイス３５は、必要に応じて設けられており、例えばインターネット回線と接続等するための構成である。
【００６３】
近距離通信回路３６は、例えばブルートゥースや、赤外線通信、ＵＷＢなどの近距離無線を行うための回路であり、必要に応じてアンテナ３６ａ（赤外線通信の場合は赤外線送受信部）を介して、本実施形態の他の各電子機器との通信を行う。特に、本実施形態の場合、当該近距離通信回路３６により、他の電子機器との間で学習パラメータを送受信可能となっている。
【００６４】
タイマ３７は、時刻カウント値を出力し、その時刻カウント値をバス３０を介して制御部３１に送る。これにより、制御部３１は、現在の時刻や時間帯を検知することができる。また、制御部３１は、タイマ３７からの時刻カウント値により、学習パラメータのポイント値を長期ポイント，中期ポイント，短期ポイント等に分類することができる。さらに、制御部３１は、タイマ３７からの時刻カウント値により、過去に何らかの処理や操作が行われてから現在までの経過時間等を知ることもできる。
【００６５】
ここで、学習パラメータの収集や送受信に関する処理を実行する際、制御部３１は、例えば図６に示すように、各種情報取得部１２１、操作履歴情報取得部１２２、キーワード抽出部１２３、データ転送部１２４、近距離通信接続部１２５の各機能を実行する。
【００６６】
各種情報抽出部１２１は、データ保持部３３から、図５の基本機能部３４での動作のうちの学習関連動作にかかわる各種情報を取得し、操作履歴情報取得部１２２は、データ保持部３３から、ユーザが各電子機器の操作部を操作した際の操作履歴の情報を取得する。そしてこれら各部が取得した情報は、キーワード抽出部１２３に送られる。
【００６７】
キーワード抽出部１２３は、それら各部で取得された各情報と、データ保持部３３に格納されているキーワード参照データとを用いて、キーワード検索を行うことで、学習キーワードとポイント値からなる学習パラメータのテーブルを生成する。そして、当該キーワード抽出部１２３にて得られた学習パラメータのテーブルのデータは、データ転送部１２４に送られる。
【００６８】
データ転送部１２４は、図５の近距離通信回路３６にて近距離通信の接続が確立されたことを近距離通信接続検出部１２５が検出したとき、上記学習パラメータのテーブルのデータを近距離通信回路３６へ送る。これにより、学習パラメータは、近距離通信回路３６から他の電子機器へ送られることになる。
【００６９】
〔携帯電話端末の制御部の動作〕
図７には、学習パラメータの収集や送受信に関する処理を実行する際の制御部１１の具体的な処理の流れを示す。なお、この図５のフローチャートは、一定時間間隔でループ処理される。
【００７０】
先ず、ステップＳ１の処理として、制御部１１は、学習関連動作がなされたかどうかを判断する。すなわち、ユーザが携帯電話機１を持って移動したり、携帯電話機１を使用して物品を購入したり、メールの送受信や通話を行ったりなど、学習に関わる動作がなされたかどうかを判断する。この動作がなされれば（Ｙｅｓ）ステップＳ２に進み、なされなければ（Ｎｏ）ステップＳ４に進む。
【００７１】
ステップＳ２の処理に進むと、制御部１１は、前述した学習キーワードのピックアップを行う。すなわち、制御部１１は、携帯電話機１を用いた購買、メール送受信の内容や、スケジュール、ＧＰＳで検出されたユーザの移動場所などの情報を元に、キーワード参照データから学習キーワードをピックアップする。
【００７２】
このように新しい学習キーワードのピックアップがなされると、制御部１１は、ステップＳ３の処理として、各学習キーワード毎にポイントをカウントし、データ保持部１６に保持している前述の図２に示した学習パラメータを更新する。
【００７３】
次に、ステップＳ４の処理に進むと、制御部１１は、学習パラメータの送信タイミングか否かを判断する。すなわち、制御部１１は、前述したように、例えば、ユーザが特定の操作を行ったとき、或いは、予め決められた所定の時間或いは周期になったとき、或いは、ユーザが所定の送信指示を行ったかなどにより、学習パラメータの送信タイミングになったかを判断する。当該ステップＳ４にて、学習パラメータの送信タイミングになったと判断した場合、制御部１１は、ステップＳ５へ処理を進め、送信タイミングになっていない場合には本フローチャートを終了する。
【００７４】
ステップＳ５の処理に進むと、制御部１１は、ステップＳ３にて更新された学習パラメータを近距離通信を介して他の電子機器へ送信する。これにより、他の電子機器では、それぞれ学習パラメータが更新されることになる。
【００７５】
なお、他の電子機器における学習パラメータの収集や送受信に関する処理も、この図７の処理と略々同様であるためそれらの説明は省略する。
【００７６】
〔学習パラメータを受信した電子機器側の動作〕
図８には、学習パラメータを利用した電子機器の具体的な処理について説明する。なお、この図８は、ビデオディスク装置４の動作を例に挙げている。このフローチャートは、一定時間間隔でループ処理される。
【００７７】
先ず、ステップＳ１１の処理として、制御部３１は、現在が学習パラメータに基づく動作のタイミングかどうかを判断する。すなわち例えば、ビデオディスク装置４の制御部２１は、図２に示した学習パラメータのうち、優先順位の高い学習キーワード（例えば「アメリカ」）に関するテレビ番組を録画する時間であるかどうかを判断する。このステップＳ１１にて、動作タイミングであると判断された場合は、制御部２１は、ステップＳ１２へ処理を進め、そうでない場合にはステップＳ１１の判断を繰り返す。
【００７８】
次に、ステップＳ１２の処理に進むと、制御部３１は、学習パラメータに基づく動作を実行する。すなわち、ビデオディスク装置４の制御部３１は、例えば「アメリカ」に関する番組を自動的に録画する。
【００７９】
また、制御部３１は、ステップＳ１３の処理として、その学習パラメータに対してユーザからどのようなフィードバックがあったかを判断する。すなわち、制御部３１は、例えばユーザの操作履歴に基づいて、ユーザからのフィードバックがあったか否か、さらにフィードバックがあった場合それはどのような内容かを判断する。例えば、ビデオディスク装置４が録画した番組を少し観ただけで直ぐ消去するような操作がユーザにより行われたとき、ユーザは、その録画番組を気に入らなかったと判断し、一方、ビデオディスク装置４が録画した番組を繰り返し再生するような操作がユーザにより行われたとき、ユーザは、その録画番組を気に入っていると判断する。当該ステップＳ１３にて、フィードバックが有ったと判断した場合はステップＳ１４の処理に進み、フィードバックがない場合にはステップＳ１１へ処理を戻す。
【００８０】
ステップＳ１４の処理に進むと、制御部３１は、ステップＳ１３にてフィードバックされた内容に応じて学習パラメータを更新する。すなわち例えば、ステップＳ１３にてユーザからのフィードバックが上記録画番組を気に入らなかったことを示しているときには、当該録画番組に関連した学習キーワードの優先順位を下げるなどして更新し、また、ユーザからのフィードバックが上記録画番組を気に入ったことを示しているときには、当該録画番組に関連した学習キーワードの優先順位を上げるなどして更新する。これにより、当該電子機器は学習を行ったこととなる。なお、ステップＳ１４にてフィードバックに関連して更新する学習キーワードと、ステップＳ１２で利用した学習キーワードは必ずしも一致している必要はなく、ステップＳ１２で利用した学習キーワードとは異なる学習キーワードをステップＳ１４にて更新することも可能である。
【００８１】
なお、他の電子機器における学習パラメータを利用した動作に関する処理も、この図８の処理と略々同様であるためそれらの説明は省略する。また、各電子機器は、図７と図８の両機能を併せ持っているため、実際には、図８のステップＳ１４の後に図７のステップＳ４と同様の分岐処理が入ることになる。
【００８２】
〔システムの他の構成例〕
以上説明した実施形態では、図１のように各電子機器が近距離無線通信により個々に接続可能な構成を挙げているが、本発明のシステムは、例えば図９に示すように、サーバ２を介して各電子機器が接続されたシステムであっても良い。図９において図１と重複する説明は省略する。
【００８３】
この図９のシステムは、携帯電話端末１、テレビジョン受像機２、オーディオ装置３、ビデオディスク装置４、パーソナルコンピュータ５等の各電子機器と、インターネット等の通信ネットワークに接続可能なサーバ２とにより構成される。なお、この図９の例において、携帯電話端末１、テレビジョン受像機２、オーディオ装置３、ビデオディスク装置４、パーソナルコンピュータ５の各電子機器は、例えば近距離無線通信によりサーバ２に接続可能となっている。なお、テレビジョン受像機２、オーディオ装置３、ビデオディスク装置４、パーソナルコンピュータ５は、有線によりサーバ２に接続されていても良い。
【００８４】
サーバ２は、例えばユーザの自宅内に設置された装置であり、パーソナルコンピュータ等の汎用コンピュータや、専用のホームサーバ装置等により実現することができる。また、サーバ２は、各電子機器から受信した学習パラメータを蓄積し、その蓄積した学習パラメータを他の電子機器へ送信する機能も備えている。またサーバ２は、例えばインターネット等のネットワークとも接続されており、そのネットワークを介して、例えばＥＰＧの番組データや気象情報、地図情報等を取得することも可能となっている。
【００８５】
〔サーバの構成〕
図１０には、図９に示したシステムのサーバ２の主要部の構成例を示す。
【００８６】
図１０において、インターフェイス４５は、ネットワークを通じてデータの送受信を行う、モデムやターミナルアダプタ等の通信モジュールを有している。
【００８７】
表示制御部５３は、モニタ５２の表示制御を行う。操作部５４は、キーボードやマウス等の操作デバイスである。操作信号発生部５５は、操作部５４の操作に応じた操作信号を生成して、制御部４１へ送る。
【００８８】
メモリ４２はサーバの動作に必要な一時的なデータを記録する。
【００８９】
データ保持部４３は、記憶保持型の書き換え型メモリであり、図９の例では、携帯電話端末１から送られてきた学習パラメータや、テレビジョン受像機２、オーディオ装置３、ビデオディスク装置４、パーソナルコンピュータ５から送られてきた学習パラメータを記憶する。また、データ保持部４３に記憶された学習パラメータは、必要に応じて書き換えられる。
【００９０】
近距離通信制御回路４６は、ブルートゥース、ＩｒＤＡ、ＵＷＢなどの近距離無線を行う回路であり、そのアンテナ４６ａを介して例えば携帯電話端末１との信号送受信を行う。
【００９１】
制御部４１は、サーバ全体を制御するプログラムを内蔵しており、このプログラムに従ってバス４０を介して各種機能を制御すると共に、データ保持部４３に記憶された学習パラメータを、携帯電話端末１、テレビジョン受像機２、オーディオ装置３、ビデオディスク装置４、パーソナルコンピュータ５の各電子機器毎に管理する。そして、制御部４１は、データ保持部４３に保持されている学習パラメータを必要に応じて読み出し、各電子機器へ送信する。
【００９２】
〔まとめ〕
以上説明したように、本発明実施形態のシステムによれば、各電子機器がそれぞれ取得した学習パラメータを共有可能となっており、また、各電子機器は各学習パラメータについてそれぞれ異なる特有の動作を行うため、ユーザを取り巻く環境をそのユーザの嗜好に合致した環境にすることが可能となる。
【００９３】
最後に、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００９４】
本実施形態によれば、各電子機器は、それぞれ学習パラメータを送受信する機能を有しているが、学習パラメータを収集して送信することのみを行う電子機器や、他の電子機器には学習パラメータを送らず、他の電子機器から送られてきた学習パラメータを受信のみするような電子機器も含まれる。
【符号の説明】
【００９５】
１…携帯電話端末、２…テレビジョン受像機、３…オーディオ装置、４…ビデオディスク装置、５…パーソナルコンピュータ、６…サーバ、１０，３０，４０…バス、１１，３１，４１…制御部、１２…通信回路、１２ａ…アンテナ、１３，５３…表示制御部、１３ａ，５２…モニタ、１４ａ，５４…操作部、１４，５５…操作信号発生部、１５，３２…メモリ、１６，３３，４３…データ保持部、１７…スピーカ駆動回路、１７ａ…スピーカ、１８…マイク入力信号発生部、１８ａ…マイクロホン、１９，３６，４６…近距離通信回路、１９ａ，３６ａ，４６ａ…近距離通信用のアンテナ、２０…センサ検知信号発生部、２５…センサ、２１…カメラ駆動回路、２１ａ…カメラ、２２…ＧＰＳ受信回路、２２ａ…ＧＰＳアンテナ、２３，３７，４７…タイマ、３４，４４…基本機能部、３５，４５…インターフェイス、１０１…位置情報取得部、１０２…スケジュール取得部、１０３…通話情報取得部、１０４…メール情報取得部、１０５…購買履歴情報取得部、１０６，１２２…操作履歴情報取得部、１０８，１２３…キーワード抽出部、１１０，１２４…データ転送部、１１１，１２５…近距離通信検出部、１２１…各種情報取得部
【図１】
2010250839.tif 000003
【図２】
2010250839.tif 000004
【図３】
2010250839.tif 000005
【図４】
2010250839.tif 000006
【図５】
2010250839.tif 000007
【図６】
2010250839.tif 000008
【図７】
2010250839.tif 000009
【図８】
2010250839.tif 000010
【図９】
2010250839.tif 000011
【図１０】
2010250839.tif 000012